(57)【要約】      （修正有）【課題】既設の天井埋込照明器具をリニューアル工事する際に多くの器具部品を要することなく、作業工程数の少ない照明器具を提供する。【解決手段】天井の天井埋込穴２に設けられた既設の天井埋込照明器具と前記既設の天井埋込照明器具を吊り下げて支持している雄ねじが形成された吊下ボルト３ａを利用する照明器具であって、前記既設の天井埋込照明器具内より下方向に開放するように形成されている開放部１０Ａに収容される照明器具本体２０と、前記既設の天井埋込照明器具と前記照明器具本体２０とを固定する固定手段３ｂ、３ｃとからなり、前記照明器具本体２０は、前記既設の天井埋込照明器具に形成された既設の鍔部１３ｃ、１３ｄを覆い隠す鍔部２４ｃ、２４ｄを有することを特徴とする。【選択図】図２
0003153912.tif 000002
【実用新案登録請求の範囲】
【請求項１】
天井の天井埋込穴（２）に設けられた既設の天井埋込照明器具と前記既設の天井埋込照明器具を吊り下げて支持している雄ねじが形成された吊下ボルト（３ａ）を利用する照明器具であって、
前記既設の天井埋込照明器具内より下方向に開放するように形成されている開放部（１０Ａ、１１０Ａ）に収容される照明器具本体（２０）と、
前記既設の天井埋込照明器具と前記照明器具本体（２０）とを固定する固定手段（３ｂ、３ｃ）とからなり、
前記照明器具本体（２０）は、前記既設の天井埋込照明器具に形成された既設の鍔部（１３ａ、１３ｂ、１３ｃ、１３ｄ、１２３ａ、１２３ｂ）を覆い隠す鍔部（２４ａ、２４ｂ、２４ｃ、２４ｄ）を有する
ことを特徴とする照明器具。
【請求項２】
請求項１に記載された照明器具であって、
前記開放部（１０Ａ、１１０Ａ）は、前記既設の天井埋込照明器具に設けられた既設反射板（３０ｐ、１３０ｐ）を取り除くことによって形成されている
ことを特徴とする照明器具。
【請求項３】
請求項２に記載された照明器具であって、
前記照明器具本体（２０）の寸法は、前記既設の天井埋込照明器具より低く形成されている
ことを特徴とする照明器具。
【請求項４】
請求項３に記載された照明器具であって、
前記照明器具本体（２０）は、直管形照明灯のための天井直付照明器具である
ことを特徴とする照明器具。
【請求項５】
請求項４に記載された照明器具であって、
前記照明器具本体（２０）は、
反射面がチタン又はシリコーンを用いたガラス状の物質が蒸着処理されたアルミニウム製であり、前記直管形照明灯が発光した光を、前記直管形照明灯に遮られないように反射させる角度を有するように複数の傾斜面が設けられている反射板（３０）を有する
ことを特徴とする照明器具。
【請求項６】
請求項１〜５のいずれか１項に記載された照明器具であって、
前記固定手段（３ｂ、３ｃ、５）は、前記吊下ボルト（３ａ）を延長するとともに、前記既設の天井照明器具（１０）と前記照明器具本体（２０）とを着脱自在に固定する
ことを特徴とする照明器具。
【請求項７】
請求項６に記載された照明器具であって、
前記固定手段（３ｂ、３ｃ、５）は、
雌ねじが形成され前記吊下ボルト（３ａ）に締結するとともに前記既設の天井埋込照明器具（１０）を固定する延長ナット（３ｂ）と、
雄ねじが形成され前記吊下ボルトに締結する延長ボルト（３ｃ）と、
雌ねじが形成され前記延長ボルト（３ｃ）に締結すると共に前記照明器具本体を固定するナット（５）とからなる
ことを特徴とする照明器具。
【考案の詳細な説明】
【技術分野】
【０００１】
本考案は、天井に取り付けられる照明器具に関する。さらに詳しくは、天井直付照明器具を天井埋込照明器具に取り付けられるようにしている照明器具に関する。
【背景技術】
【０００２】
従来より使用されてきた天井に取り付けて室内を照明する照明器具は、天井面に直接器具を取り付ける天井直付照明器具と天井面に穴を開けその空間に埋め込む天井埋込照明器具がある。天井埋込照明器具は、天井面に埋込状態に取り付けられる照明器具本体を有する。照明器具本体は、その内側あるいは外側に、安定器や電源用端子台やソケット等の配線器具が取り付けられている。そして、これらの多くは、蛍光灯を２灯を備えるものである。
【０００３】
しかし、蛍光灯を２灯備える天井埋込照明器具は、消費電力が多く、経済的負担が多かった。また、蛍光灯を２灯備える天井埋込照明器具は、１灯のものに比べ必然的に発熱量も多い。蛍光灯を２灯備える天井埋込照明器具は、発熱量の多さから室内温度が上がるため、空調設備の稼働の頻度が上がり、必然的に使用電気料が増大していた。
【０００４】
蛍光灯を２灯備える天井埋込照明器具は、このような問題点及び現在のエネルギー節約の観点から、１灯の天井埋込照明器具に変更することが近年行われている。また、天井埋込照明器具の灯数を１灯に減らしても、反射板の効果で２灯の天井埋込照明器具と同等の照度を確保できる１灯の天井埋込照明器具等が作られてきている。このように従来使用されていた２灯の天井埋込照明器具を、１灯の天井埋込照明器具に変更する作業が近年増加している。
【０００５】
従来の２灯の天井埋込照明器具が埋め込まれている天井埋込穴の寸法は、メーカーや取付業者の違いを勘案してもほぼ同一（１２５５ｍｍ×３００ｍｍ）の大きさである。また、天井埋込穴の寸法がほぼ同一であることから、天井埋込照明器具の外形寸法もほぼ同一（１２７５±５ｍｍ×３３０±５ｍｍ）である。しかし、天井埋込照明器具のメーカーや取付業者により取り付け方法、取り付け器具が異なり、天井に取付ける方法がまちまちであった。また、天井埋込照明器具のリニューアル工事は、天井に埋め込まれているため、一度それらを解体し、新たな器具を組み込むことにより行われる。このため、天井埋込照明器具のリニューアル工事は、天井直付照明器具を取り換えるだけの作業ですむ天井直付照明器具のリニューアル工事に比べ手間がかかり工事費用も増大する。
【０００６】
天井埋込照明器具は、現在大きく分けて６種類のタイプがある。このため、いつ受注されるかもわからないリニューアル工事のために、６種類のタイプに応じた器具の部品等を在庫しておく必要があった。さらに、天井埋込照明器具は、一列に並べられる連結タイプ等も存在していることから、ますますその器具の部品等を在庫しておく必要があるという問題点があった。
【０００７】
また、既設の照明器具の多くは、現在の技術水準に比べ未熟な段階で作られているので、その照明器具を構成する部品である安定器や電源用端子台やソケット等も現在の照明器具に比べ大型のものであった。既設の照明器具やその照明器具を設置するスペースは、大型の部品を備えるために必然的に大型化せざるを得なかった。特に、蛍光灯を２灯備えるタイプのものは、照明器具の下端部が蛍光灯と反射板を設置するスペースとして確保されていたので、大型の部品は、上端部に詰め込むように設置されていた。
【０００８】
現在の照明器具は、近年の技術の進歩に伴い構成する部品の小型化が進み、照明器具自身も従来のそれに比べ小型化されている。しかし、既設の照明器具やそれを設置するスペースが大型であったため、その大きさに合わせた照明器具を設置しなければならないという問題点があった。そして、既設の照明器具やそれを設置するスペースに合わせて照明器具を作るため必然的に部品点数が多くなるという問題点があった。
【０００９】
さらに、特許文献を基に、従来の技術を説明する。既設の照明器具を利用して容易に照明器具を更新することができる照明器具の技術が知られている（例えば、特許文献１参照）。既存の器具などを利用して、簡略な構成で作業性良く設置できる照明器具の技術が知られている（例えば、特許文献２参照）。
【先行技術文献】
【特許文献】
【００１０】
【特許文献１】特開平０８−１８０７２６号公報
【特許文献２】特開２００１−１４９３５号公報
【考案の概要】
【考案が解決しようとする課題】
【００１１】
しかしながら、前述した特許文献１又２に記載された発明では、既設の照明器具を、新たな照明器具に変更する作業に時間と手間がかかる。特許文献１の照明器具は、その変更作業に要する照明器具の部品点数が多く、それらがバラバラに用意されている。照明器具の変更作業は、変更作業を行う現場まで必要な部品をそれぞれ用意し、それぞれを組み立てながら作業を行う。このため、変更作業に要する照明器具の部品の管理に手間を要する。
【００１２】
特許文献１の既設の照明器具と新たに設置する照明器具を固定するための固定手段は、複雑な構造をとるうえにネジ止めも必要である。一般に、照明器具の変更作業は、高所で行われる。このような高所において、複雑な構造の部品の取付作業は、作業全体の効率の低下を招く。
【００１３】
特許文献２の既設の照明器具に照明器具を固定するためには、引掛金具を照明器具に設置した後既設の照明器具に引っ掛ける必要である。また、既設の照明器具に引っ掛けられた引掛金具と照明器具をボルトで締結しなければならず、作業工程数が多い。
【００１４】
本考案は、前述した課題を解決するためになされたもので、次の目的を達成する。本考案の目的は、既設の天井埋込照明器具をリニューアル工事する際に多くの器具部品を要することなく、作業工程数の少ない照明器具を提供することにある。本考案の他の目的は、既設の天井埋込照明器具に照明器具を組み込んで構成される部品点数の少なく、作業工程数の少ない照明器具を提供することにある。
【００１５】
本考案の他の目的は、既設の照明器具やそれを設置するスペースの大きさに合わせることなく安定して既設の照明器具に設置することができる照明器具を提供することにある。本考案の他の目的は、既設の照明器具やそれを設置するスペースの大きさに合わせることなく部品点数の少ない照明器具を提供することにある。本考案の他の目的は、既設の照明器具に設置された既設安定器及び既設電源用端子台を取り外すことなく設置することができる照明器具を提供することにある。また、本考案の他の目的は、工事コストを抑え、リニューアル工事作業が少なく、工事に必要な器具部品が減り在庫をかかえることを極力抑えた照明器具を提供することにある。
【課題を解決するための手段】
【００１６】
本考案は、前記目的を達成するために次の手段をとる。
本考案１の照明器具は、天井の天井埋込穴に設けられた既設の天井埋込照明器具と前記既設の天井埋込照明器具を吊り下げて支持している雄ねじが形成された吊下ボルトを利用する照明器具であって、前記既設の天井埋込照明器具内より下方向に開放するように形成されている開放部に収容される照明器具本体と、前記既設の天井埋込照明器具と前記照明器具本体とを固定する固定手段とからなり、前記照明器具本体は、前記既設の天井埋込照明器具に形成された既設の鍔部を覆い隠す鍔部を有することを特徴とする。
【００１７】
本考案２は、本考案１に記載された照明器具であって、前記開放部は、前記既設の天井埋込照明器具に設けられた既設反射板を取り除くことによって形成されていることを特徴とする。
【００１８】
本考案３は、本考案２に記載された照明器具であって、前記照明器具本体の寸法は、前記既設の天井埋込照明器具より低く形成されていることを特徴とする。
【００１９】
本考案４は、本考案３に記載された照明器具であって、前記照明器具本体は、直管形照明灯のための天井直付照明器具であることを特徴とする。
【００２０】
本考案５は、本考案４に記載された照明器具であって、前記照明器具本体は、反射面がチタン又はシリコーンを用いたガラス状の物質が蒸着処理されたアルミニウム製であり、前記直管形照明灯が発光した光を、前記直管形照明灯に遮られないように反射させる角度を有するように複数の傾斜面が設けられている反射板を有することを特徴とする。
【００２１】
本考案６は、本考案１〜５のいずれかに記載された照明器具であって、前記固定手段は、前記吊下ボルトを延長するとともに、前記既設の天井照明器具と前記照明器具本体とを着脱自在に固定することを特徴とする。
【００２２】
本考案７は、本考案６に記載された照明器具であって、前記固定手段は、雌ねじが形成され前記吊下ボルトに締結するとともに前記既設の天井埋込照明器具を固定する延長ナットと、雄ねじが形成され前記吊下ボルトに締結する延長ボルトと、雌ねじが形成され前記延長ボルトに締結すると共に前記照明器具本体を固定するナットとからなることを特徴とする。
【考案の効果】
【００２３】
以上説明したように、本考案の照明器具は、既設の天井埋込照明器具をリニューアル工事する際に多くの器具部品を要することなく、既設の天井埋込照明器具に照明器具を組み込んで構成することができるようになった。また、既設の天井埋込照明器具をリニューアル工事する際に多くの作業を要することなく、既設の天井埋込照明器具に照明器具を組み込んで構成される作業工程数の少ない工事が可能となった。
【００２４】
また、既設の照明器具やそれを設置するスペースの大きさに合わせることなく安定して既設の照明器具に設置することができるようになった。また、既設の照明器具やそれを設置するスペースの大きさに合わせることなく部品材料の点数が少ない照明器具を提供できるようになった。既設の照明器具に設置された既設安定器及び既設電源用端子台を取り外すことなく設置することができるようになった。さらに、本考案の照明器具は、工事コストを抑え、リニューアル工事作業が少なく、工事に必要な器具部品が減り在庫を抱えることを極力抑えることができるようになった。
【図面の簡単な説明】
【００２５】
【図１】本考案の照明器具の実施の形態を示す外観図である。
【図２】図１をＡ−Ａ線で切断した拡大断面図である。
【図３】既設の照明器具を示す外観図である。
【図４】既設の照明器具から既設反射板を取り出した状態を示す外観図である。
【図５】既設の照明器具に照明器具本体を取り付ける状態を示す外観図である。
【図６】本考案の照明器具の他の実施の形態を示す外観図である。
【図７】図６をＢ−Ｂ線で切断した拡大断面図である。
【図８】既設の照明器具を示す外観図である。
【図９】既設の照明器具から既設反射板を取り出した状態を示す外観図である。
【図１０】既設の照明器具に照明器具本体を取り付ける状態を示す外観図である。
【考案を実施するための形態】
【００２６】
以下、本考案の照明器具について、その実施の形態を図面に基づいて説明する。図１は、本考案の照明器具の実施の形態を示す外観図である。図２は、図１をＡ−Ａ線で切断した拡大断面図である。図３は、既設の照明器具を示す外観図である。図４は、既設の照明器具から既設反射板を取り出した状態を示す外観図である。図５は、既設の照明器具に照明器具本体を取り付ける状態を示す外観図である。なお、本考案の照明器具の実施の形態を示す図面においては、説明の便宜から天井に向かう方向を上方向とし、反対の方向を下方向として描いている。
【００２７】
図１及び２において、本考案の照明器具１は、既設照明器具本体１０及び照明器具本体２０から構成されている。照明器具１は、吊下ボルト３ａによって吊り下げられ、天井に開口した天井埋込穴２に取り付けられている既設の天井埋込照明器具を利用したものである。既設の天井埋込照明器具は、多くの場合蛍光灯を２灯使用しているものであった。
【００２８】
既設照明器具本体１０は、鋼板、アルミニウム板等の一枚の金属板を曲げてスポット溶接等の固着手段により形成された略直方体の箱形状に形成されている。既設照明器具本体１０は、既設の天井埋込照明器具から既設反射板３０ｐ及び既設蛍光灯４０ｐ（図３参照）を取り除いたものである。
【００２９】
既設照明器具本体１０は、既設反射板３０ｐ及び既設蛍光灯４０ｐが取り除かれることにより下方向の面に開放するように開放部１０Ａが形成される。照明器具１は、既設照明器具本体１０に形成された開放部１０Ａの下端部に照明器具本体２０を設置することで構成されている。既設照明器具本体１０の開放部１０Ａの上端部には、図示していないが、既設安定器及び既設電源用端子台等がそのまま残されている。
【００３０】
図４において、既設照明器具本体１０は、下方向の面が開放している略直方体の箱形状である。既設照明器具本体１０は、長方形形状の既設天板部１１と、既設天板部１１の周囲に下方向に形成された既設側板部１２ａ、１２ｂ、１２ｃ、１２ｄ（以下単に「既設側板部１２ａ〜ｄ」という。）から形成されている。図４及び５に示すように、既設天板部１１は、例えば長辺１２５０ｍｍ、短辺３００ｍｍに形成されている。既設側板部１２ａ〜ｄは、例えば１５２ｍｍの高さに形成されている。開放部１０Ａは、長辺１２５５ｍｍ、短辺３００ｍｍ及び高さ１５２ｍｍに形成されている。
【００３１】
既設照明器具本体１０は、天井の天井板４に露出した天井埋込穴２を十分覆い隠せるように鍔部を有した最大の外形は、例えば、長辺１２７５ｍｍ、短辺３３８ｍｍ以上になるように形成されている。なお、本実施の形態において、天井埋込穴の寸法は、１２５５ｍｍ×３００ｍｍである。
【００３２】
既設天板部１１には、一対の既設吊下ボルト孔１５が形成されている。既設吊下ボルト孔１５は、既設照明器具本体１０を天井に設置する際に一対の吊下ボルト３ａを挿通させるための貫通孔である。本実施の形態において、一対の既設吊下ボルト孔１５は、例えば８００ｍｍの間隔で設けられた貫通孔である。
【００３３】
既設天板部１１は、電源線を挿通するための既設電源用孔１６を設けられている。既設電源用孔１６は、天井から配線される電源用の電源線を挿通させるための貫通孔であり、既設天板部１１を貫通した貫通孔である。既設電源用孔１６は、本実施の形態において、丸形形状であり、例えば直径２０ｍｍで形成されている。
【００３４】
図５に示すように、本実施の形態において既設電源用孔１６は、天板部のほぼ中心位置に設けられている貫通孔である。ただし、既設電源用孔１６は、既設天板部１１の他の位置に設けられていてもよい。既設照明器具本体１０の設置場所によっては、電源線を確保できる位置が異なるからである。既設側板部１２ａ〜ｄの下端の辺、即ち下方の縁には、それぞれ既設鍔部１３ａ、１３ｂ、１３ｃ、１３ｄ（以下単に「既設鍔部１３ａ〜ｄ」という。）が形成されている。
【００３５】
本実施の形態において、既設鍔部１３ａ、１３ｂは、例えば幅１０ｍｍに形成されている。また、既設鍔部１３ｃ、１３ｄは、例えば幅１９ｍｍに形成されている。既設鍔部１３ａ〜ｄは、既設照明器具本体１０を天井埋込穴２に嵌め込んだ際に生じる天井埋込穴２と既設側板部１２ａ〜ｄの間に形成される隙間を隠すために設けられている。また、既設鍔部１３ａ〜ｄは、隙間から生じる埃などを室内に落ちないようにするために設けられたものでもある。
【００３６】
図２に示すように、本考案の照明器具本体２０は、既設照明器具本体１０の形状に合わせて形成されており、大量生産される一般的なものである。本考案の照明器具本体２０は、直管形照明灯を用いて天井面に直接設置される照明器具である。照明器具本体２０は、鋼板、アルミニウム板などの矩形の複数の金属板を曲げて、スポット溶接やネジ止め等することにより形成されている。照明器具本体２０は、下方向の面が開放するように開放部２０Ａが設けられた略直方体の箱形状に形成されている。また、照明器具本体２０は、断面が略Ｃ字形状に形成されている。
【００３７】
図２において、照明器具本体２０は、長方形形状で水平に置かれた天板部２１と、この天板部２１の長辺より斜め下方向に傾斜している斜板部２２ｃ、２２ｄが形成されている。天板部２１の短辺より下方向に側板部２２ａ、２２ｂが形成されている。斜板部２２ｃ、２２ｄより下方向に側板部２３ｃ、２３ｄが形成されている。側板部２３ａ、２３ｂ、２３ｃ、２３ｄ（以下、単に「側板部２３ａ〜ｄ）という。）の下端の辺、即ち下方の縁には、それぞれ鍔部２４ａ、２４ｂ、２４ｃ、２４ｄ（以下単に「鍔部２４ａ〜ｄ」という。）が形成されている。本実施の形態において、鍔部２４ａ、２４ｂは、例えば幅１０ｍｍに形成されている。また、鍔部２４ｃ、２４ｄは、例えば幅２３ｍｍに形成されている。
【００３８】
鍔部２４ａ、２４ｂは、既設鍔部１３ａ、１３ｂを覆い隠すように形成されている。鍔部２４ｃ、２４ｄは、既設鍔部１３ｃ、１３ｄを覆い隠すように形成されている。つまり、照明器具本体２０を既設照明器具本体１０に嵌め込むと既設鍔部１３ａ〜ｄをすべて覆い隠す。照明器具本体２０は、既設照明器具本体１０及び既設器具本体と天井板４との境界部分に生じた汚れも覆い隠すため美感に優れている。
【００３９】
照明器具本体２０の天板部２１は、例えば長辺１２５０ｍｍ、短辺３００ｍｍに形成され、照明器具本体２０の高さは、６９ｍｍに形成されている。照明器具本体２０は、既設照明器具本体１０に比べ８３ｍｍほど低く構成されている。このため、既設天板部１０内に既設安定器、既設電源用端子台及び既設ソケット等が残っている状態でも既設器具本体内に嵌め込むことができる。図５に示すように、側板部２２ａ、２２ｂには、それぞれ直管形の蛍光灯を取り付けるためのソケットが設けられている。また、側板部２２ａ〜ｄには、後述する反射板３０を載置するためのそれぞれ載置部（図示せず）が設けられている。
【００４０】
図２に示すように、天板部２１には、一対の吊下ボルト孔２５が形成されている。吊下ボルト孔２５は、天板部２１を貫通した貫通孔である。吊下ボルト孔２５は、照明器具本体２０を天井より吊り下げて設置するための貫通孔である。吊下ボルト孔２５は、延長ボルト３ｃを挿通させるための貫通孔である。本実施の形態において、一対の吊下ボルト孔２５の設けられる位置、大きさ、形状等は、前述した一対の既設吊下ボルト孔１５のそれと同様であるので説明を省略する。
【００４１】
一対の吊下ボルト孔２５は、一対の既設吊下ボルト孔１５と対応する位置に形成されている。つまり、照明器具本体２０を既設照明器具本体１０に形成された開放部１０Ａに嵌め込んだときに、吊下ボルト孔２５と既設吊下ボルト孔１５は、同一直線上に位置するように形成されている。つまり、既設吊下ボルト孔１５と吊下ボルト孔２５とは、吊下ボルト３ａが連続して挿通できるように同一直線上に位置している。天板部２１には、内側面の吊下ボルト孔２５が設けられた位置に補強板を設けてもよい。補強板は、照明器具本体２０を吊り下げて設置したときに自重から破断することを防ぐために天板部２１を補強し、剛性を与えるために設けられたものである。
【００４２】
天板部２１は、電源線を挿通するための電源用孔（図示せず）を設けている。本実施の形態において、電源用孔の設けられる位置、大きさ、形状等は、前述した既設電源用孔１６のそれと同様であるので説明を省略する。電源用孔は、照明器具本体２０を開放部１０Ａに嵌め込んだときに、既設電源用孔１６と同一直線上に位置するように形成されているとよい。電源用孔は、照明器具本体２０内の既設安定器、既設電源用端子台及び既設ソケット（いずれも図示せず）等の位置或いは、既設電源用孔の位置に応じて形成する場所を変えても良い。
【００４３】
天板部２１の内側面には、反射板３０を載置するための一対の載置台（図示せず）が設けられている。一対の載置台は、反射板を安定して載置できるように天板部と略平行になるように形成されている。一対の載置台には、ネジ孔が設けられており、反射板３０をネジで固定できる。照明器具本体２０は、その内部に点灯装置としての安定器（図示せず）、電源用端子台（図示せず）が設けられている。安定器と電源用端子台は、照明器具本体２０の内側に反射板と接触しない位置に設けられている。なお、本実施の形態の照明器具本体２０は、断面が略Ｃ字形状であるが、他の形状にしても良い。
【００４４】
反射板３０は、母材となるアルミニウム板に陽極酸化処理を施した後に、チタンやシリコーンを用いたガラス状の物質を物理蒸着したものである。反射板３０は、反射率６０パーセントの白色塗装や反射率７０パーセントのアルミニウム鏡面の既存反射板に比べ反射率が良く反射率９５パーセント以上である。本実施の形態において反射板３０は、矩形の一枚の金属板を曲げることにより形成されており、下方向から見て略長方形形状であり、側面から見て左右対称の略Ｍ字形状に形成されている。
【００４５】
反射板３０は、チタンやシリコーンを用いたガラス状の物質をＰＶＤコーティングという方法で物理蒸着することにより反射面を形成する。これにより反射板３０は、照射された照射光を、母材であるアルミニウム板によって反射するのではなく、ＰＶＤコーティングされた反射板３０の表面である反射面で反射するため、反射率が９５パーセントという反射率が実現する。
【００４６】
つまり、反射板３０は、照射された照射光をほとんど吸収することなく反射するため、反射率９５パーセントという高性能反射率を実現する。また、反射板３０の反射面は、ＰＶＤコーティングをしたことにより、耐摩耗性に優れ、高温作業下でも硬度に優れ、キズがつきにくい等の特徴を有する。さらに、反射板は、耐久性に優れ、表面が黄ばんだり、剥げたりすることがなく高反射率を維持できる。
【００４７】
反射板３０は、その表面をエンボス加工が施されている。反射板３０は、エンボス加工が施されていることにより、蛍光灯４０より発せられた照射光を拡散反射することができる。つまり、照射光が拡散反射することにより反射板の表面部が黒く見えることなく、全体に白く見えるようになり、意匠性が向上する。なお、反射板３０は、照明装置を設置する位置や場所又は、照明をあてる対象に応じて、例えば鏡面加工や梨地加工に変えても良い。
【００４８】
反射板３０は、本実施の形態においては、１４枚の長方形形状の面が折り曲げられて連続して並べられていることで形成されている。また、反射板３０は、矩形の一枚の金属板が連続して曲げられていることにより、１４面が一体に形成されている。本実施の形態において反射板３０は、一枚の金属板が蛍光灯４０を覆うように略Ｍ字形状に形成されている。しかし、この形状に限定されることはなく、照明装置を設置する位置や場所又は、照明をあてる対象に応じて反射面の数や曲げる角度を変えても良い。
【００４９】
反射板３０は、照明器具本体２０に載置したときに一対の載置台に対応する箇所にネジを通すための一対の孔が形成されている。反射板３０は、側板部２２ａ〜ｄに形成された載置部に載置され、一対の載置台にネジを取り付けることで固定される。図２に示すように、照明器具本体２０は、天井より吊り下げられている。照明器具本体２０は、既設の天井埋込照明器具を吊り下げていた吊下ボルト３ａを利用して吊り下げられている。吊下ボルト３ａは、その下方向端部に延長ナット３ｂが締結される。延長ナット３ｂは、その下方向端部に延長ボルト３ｃが締結される。吊下ボルト３ａは、その下方向に延長ナット３ｂ及び延長ボルト３ｃが締結されていることにより実質的に延長されている。
【００５０】
植込ボルト
延長ナット３ｂは、一端が吊下ボルト３ａの雄ネジに合わせて雌ネジが形成され、他端が延長ボルト３ｃの雄ネジに合わせて雌ネジが形成されている。延長ナット３ｂは、上端に吊下ボルト３ａの下端が締結され、下端に延長ボルト３ｃが締結される。既設照明器具本体１０は、延長ナット３ｂが、既設吊下ボルト孔１５を挿通する吊下ボルト３ａの下端に締結することにより吊り下げ支持されるとともに固定される。
【００５１】
延長ボルト３ｃは、頭部がなく両端若しくは全体が雄ネジの植込ボルトである。延長ボルト３ｃは、上端に延長ナット３ｂが締結され、下端にナット５が締結される。照明器具本体２０は、ナット５が、吊下ボルト孔２５を挿通する延長ボルト３ｃの下端で締結することにより吊り下げ支持されるとともに固定されている。本実施の形態において延長ナット３ｂは、例えば５０ｍｍの長さに形成されているが、既設器具本体の寸法にあわせてその長さを変更しても良い。本実施の形態において延長ボルト３ｃは、７３ｍｍの長さに形成されているが、既設器具本体の寸法にあわせてその長さを変更しても良い。
【００５２】
延長ナット３ｂと延長ボルト３ｃは、吊下ボルト３ａを実質的に延長するように構成されている。このため、既設照明器具本体１０より低く構成された照明器具本体２０は、既設照明器具本体１０の下端部に設置することができる。つまり、既設照明器具本体１０の上端に設置されている既設安定器及び既設電源用端子台を取り外すことなく照明器具本体２０を設置することができる。本実施の形態において、照明器具本体１０は、一定の寸法のもので説明を行っている。しかし、既設の天井埋込照明器具の寸法は、製造元やメーカー等によって異なるため、他の寸法のものでもよい。
【００５３】
〔照明器具の設置の工程〕
次に、本実施の形態の照明器具を天井面に設置する工程を図３、図４及び図５に基づいて説明する。
＜既設器具本体より反射板の取り外し工程。＞
図３及び４に示すように、天井の天井板４に設置されている既設照明器具本体１０より既設反射板３０ｐ及び既設蛍光灯４０ｐを外し開放部１０Ａを露出させる。このとき、既設照明器具本体１０に取り付けられていた、既設安定器及び、既設電源用端子台はそのまま残しておく。なお、既設ソケットが既設照明器具本体１０の下端に設けられているときはリード線を切って取り外す。既設ソケットが、既設照明器具本体１０の上端に設けられ、照明器具本体２０を設置しても邪魔にならないときはそのまま残しておく。
【００５４】
＜吊下ボルトの長さ調整工程＞
既設の天井埋込照明器具を吊り下げていた吊下ボルト３ａは、鉄骨に直接溶接されて固定されている場合と、軽天に取り付けられている場合がある。図４及び５に示すように、吊下ボルト３ａの下端から既設ナット５ｐを外し、かわりに延長ナット３ｂ（図２参照）を締結する。そして、延長ナット３ｂの下端に延長ボルト３ｃを締結する。吊下ボルト３ａの下端に延長ナット３ｂと延長ボルト３ｃを締結することで、実質的に吊下ボルト３ａを延長する。
【００５５】
＜照明器具の既設器具本体嵌め込み工程＞
照明器具本体２０は、あらかじめ反射板３０及び蛍光灯４０を外しておき（図示せず）、既設照明器具本体１０の開放部１０Ａに嵌め込む。このとき、既設照明器具本体１０の既設電源用端子台に差し込まれている電源線２本とアース線１本を外して、照明器具本体２０の電源用端子台に差し込む。また、一対の吊下ボルト３ａを実質的に延長している一対の延長ボルト３ｃを一対の吊下ボルト孔２５に挿通させる。照明器具本体２０は、既設照明器具本体１０に嵌め込むときに鍔部２４ａ〜ｄが既設鍔部１３ａ〜ｄを覆い隠すように嵌め込む。照明器具本体２０は、既設照明器具本体１０及び既設器具本体と天井板４との境界部分に生じた汚れも覆い隠すため美感に優れる。
【００５６】
＜既設照明器具本体、照明器具本体の固定工程＞
図２に示すように、吊下ボルト３ａを実質的に延長している延長ボルト３ｃは、吊下ボルト孔２５を挿通された後下端部がナット５で締結される。これにより、既設照明器具本体１０及び照明器具本体２０は、吊り下げられ支持される。
＜反射板、蛍光灯の取り付け工程＞
反射板３０は、載置部に載置され、一対の載置台にネジを取り付けることで固定される。蛍光灯４０は、照明器具本体に設けられたソケットに取り付ける。この工程により照明器具の設置の工事は完成する（図１参照）。
【００５７】
このような工程による既設の天井埋込照明器具を消費電力が少ない照明器具に変更するリニューアル工事は、作業工程が少なく、既設の照明器具内に設けられた既設安定器、既設電源用端子台をはずすことなく、照明器具を設置することで工事コストを抑えることができる。
【００５８】
〔他の実施の形態〕
本考案の他の実施の形態を図６に基づいて説明を行う。前述した実施の形態における既設の天井埋込照明器具は、略直方体の箱形状の既設照明器具本体を利用するものであった。本考案の他の実施の形態は、天井に吊下ボルトで吊り下げられた細長い本体部１１０と一対の断面略Ｃ字形状の固定部１２０とからなる１００を利用するものである。なお、この他の実施の形態では、前述した実施の形態と同一の部位には同一の符号を付与して、詳細な説明は省略する。
【００５９】
図６は、本考案の照明器具の実施の形態を示す外観図である。図７は、図６をＢ−Ｂ線で切断した拡大断面図である。図８は、既設の照明器具を示す外観図である。図９は、既設の照明器具から既設反射板を取り出した状態を示す外観図である。図１０は、既設の照明器具に照明器具本体を取り付ける状態を示す外観図である。
【００６０】
図６及び７において、本考案の照明器具１０１は、本体部１１０、固定部１２０及び照明器具本体２０から構成されている。照明器具１０１は、吊下ボルト３ａによって、吊り下げられ天井に取り付けられている既設の天井埋込照明器具を利用したものである。既設の天井埋込照明器具は、多くの場合蛍光灯を２灯使用しているものであった。
【００６１】
本体部１１０は、鋼板、アルミニウム板などの一枚の金属板を曲げてスポット溶接等の固着手段により形成された略直方体の箱形状に形成されている。本体部１１０は、図示していないが、内部に既設安定器及び既設電源用端子台等がそのまま残されている。本体部１１０は、一対の既設吊下ボルト孔（図示せず）が設けられている。本体部１１０は、電源線を挿通するための既設電源用孔（図示せず）を設けられている。既設吊下ボルト孔と既設電源用孔は、前述した既設吊下ボルト孔１５と既設電源用孔１６と同様のものなので説明は省略する。
【００６２】
一対の固定部１２０は、本体部１１０の下に設けられている。固定部１２０は、鋼板、アルミニウム板などの一枚の金属板を曲げて形成された断面視略Ｃ字形状に形成されている。固定部１２０は、長方形形状の固定部上面１２１と、固定部正面の短辺の下方向に形成されて固定部側板１２２ａ、１２２ｂと、固定部側板１２２ａ、１２２ｂから外方向に突出している固定部鍔１２３ａ、１２３ｂから形成されている。
【００６３】
一対の固定部１２０は、既設反射板１３０ｐ固定するために設けられていた。固定部１２０より既設反射板１３０ｐを取り除くことで開放部１１０Ａが形成される。固定部１２０は、スポット溶接やＬ字状の鋼材等でとめて本体部１１０に固定されている。固定部上面１２１は、既設反射板１３０ｐを固定するために形成されていたネジ孔が形成されている（図示せず）。固定部鍔１２３ａ、１２３ｂは、天井板４に引っかかるように形成されている。
【００６４】
照明器具本体２０の鍔部２４ａ〜２４ｄは、天井板４に照明器具本体２０が設置されたときに生じる隙間を隠すように形成されている。鍔部２４ｃ、２４ｄは、固定部鍔１２３ａ、１２３ｂを覆い隠すように形成されている。照明器具本体２０を既設照明器具本体１０に嵌め込むと固定部鍔１２３ａ、１２３ｂすべて覆い隠す。照明器具本体２０は、既設照明器具本体１０及び既設器具本体と天井板４との境界部分に生じた汚れも覆い隠すため美感に優れる。
【００６５】
照明器具本体２０、反射板３０、吊下ボルト３ａ、延長ナット３ｂ、及び延長ボルト３ｃの形状、構造等は前述したものと同様であるので説明を省略する。図７に示すように、照明器具本体２０は、天井より吊り下げられている。照明器具本体２０は、既設の天井埋込照明器具を吊り下げていた吊下ボルト３ａを利用して吊り下げられている。吊下ボルト３ａは、その下方向端部に延長ナット３ｂが締結される。延長ナット３ｂは、その下方向端部に延長ボルト３ｃが締結される。吊下ボルト３ａは、その下方向に延長ナット３ｂ及び延長ボルト３ｃが締結されていることにより実質的に延長されている。
【００６６】
延長ナット３ｂは、既設吊下ボルト孔を挿通する吊下ボルト３ａの下端に締結することにより本体部１１０を固定している。延長ボルト３ｃは、吊下ボルト孔を挿通しその下端にナット５が締結されることにより本体１１０を吊り下げ固定している。
【００６７】
延長ナット３ｂと延長ボルト３ｃは、吊下ボルト３ａを実質的に延長するように構成されている。このため、吊下ボルトを長いものに変更する工事を行うことなく、低く構成された照明器具本体２０を設置できる。既設の天井埋込照明器具を設置していたスペースの大きさに合わせることなく安定して既設の照明器具に設置できる。また、本体部１１０の内部に設置されている既設安定器及び既設電源用端子台を取り外すことなく照明器具本体２０を設置することができる。
【００６８】
〔他の実施の形態の照明器具の設置の工程〕
次に、他の実施の形態の照明器具を天井面に設置する工程を図８、図９及び図１０に基づいて説明する。
＜既設器具本体より反射板の取り外し工程＞
図８及び９に示すように、天井の天井板４に設置されている既設天井埋込照明器具より既設反射板１３０ｐ及び既設蛍光灯４０ｐを外し開放部１１０Ａを露出させる。既設反射板１３０ｐは、固定部に形成されたネジ孔に締結されたネジで固定されているものがほとんどである。このため、既設反射板１３０ｐは、ネジを外すことで既設天井埋込照明器具より外すことができる。
【００６９】
本体部１０の内部に取り付けられている既設安定器及び、既設電源用端子台は、そのまま残しておく。既設ソケット５０Ｐが既設天井埋込照明器具の下端に設けられているときはリード線を切って取り外し、上端に設けられているときはそのまま残しておく。「吊下ボルトの長さ調整工程」及び「照明器具の既設器具本体嵌め込み工程」は、前述したものとほぼ同様であるので説明は省略する。なお、照明器具本体２０は、天井埋込穴２に嵌め込むときに鍔部２４ｃ、２４ｄが固定部鍔１２３ａ、１２３ｂを覆い隠すように嵌め込む。
【００７０】
＜本体部、照明器具本体の固定工程＞
吊下ボルト３ａを実質的に延長している延長ボルト３ｃは、吊下ボルト孔２５を挿通された後下端部がナット５で締結される。これにより、本体部１１０及び照明器具本体２０は、天井面に吊り下げ支持されるとともに固定される。
【００７１】
＜反射板、蛍光灯の取り付け工程＞
反射板３０は、載置部に載置され、一対の載置台にネジを取り付けることで固定される。蛍光灯４０は、照明器具本体に設けられたソケットに取り付ける。この工程により照明器具の設置の工事は完成する（図６参照）。
【００７２】
以上、本考案の実施の形態について説明を行ったが、本考案はこの実施の形態に限定されることはない。本考案の目的、趣旨を変更しない範囲内で変更が可能であることはいうまでもない。
【符号の説明】
【００７３】
１    …  照明器具
２    …  天井埋込穴
３ａ  …  吊下ボルト
１０    …  収納ケース
１０Ａ  …  開放部
２０    …  照明器具本体
【図１】
0003153912.tif 000003
【図２】
0003153912.tif 000004
【図３】
0003153912.tif 000005
【図４】
0003153912.tif 000006
【図５】
0003153912.tif 000007
【図６】
0003153912.tif 000008
【図７】
0003153912.tif 000009
【図８】
0003153912.tif 000010
【図９】
0003153912.tif 000011
【図１０】
0003153912.tif 000012